(57)【要約】【課題】商品を購入したユーザに代わって、自動的にその商品の懸賞に応募する自動応募サーバ及び方法を提供すること。【解決手段】自動応募サーバ１０は、商品ポイントＤＢ３１と、応募情報ＤＢ３２とを備え、ユーザ端末５０から電子レシートを受信し、ユーザ端末５０の固有の端末情報を受信し、受信した固有の端末情報と、電子レシートに記録された商品の商品情報とに基づいて、商品ポイントＤＢ３１に記憶された固有の端末情報ごとの商品情報に対応付けられた累積ポイントに、応募情報ＤＢ３２において商品情報に対応付けられたポイントを加算する。次に、自動応募サーバ１０は、応募サイトから、当該商品の懸賞に応募するための応募条件を取得し、累積ポイントが、取得した応募条件を満たすか否かを判定し、応募条件を満たすと判定したことに応じて、応募データを作成し、応募サイトに送信する。【選択図】図２
2012256128.tif 000002
【特許請求の範囲】
【請求項１】
商品を購入したユーザに代わって懸賞に応募する自動応募サーバであって、
前記ユーザのユーザ端末に付与されている固有の端末情報ごとに、商品を一意に特定する商品情報に対応付けて、当該商品に付与されたポイントの累積である累積ポイントを記憶する商品ポイント記憶手段と、
前記商品情報に対応付けて、当該商品のポイントと、当該商品の懸賞を管理する応募サイトとを記憶する応募情報記憶手段と、
前記ユーザが購入した商品の前記商品情報と共に領収金額を記録する電子レシートが、電子レシート発行装置から前記ユーザのユーザ端末に発行された場合に、当該ユーザ端末から当該電子レシートを受信する電子レシート受信手段と、
前記電子レシートを送信してきた前記ユーザ端末の前記固有の端末情報を受信する端末情報受信手段と、
前記端末情報受信手段によって受信された前記固有の端末情報と、前記電子レシートに記録された商品の前記商品情報とに基づいて、前記商品ポイント記憶手段に記憶された前記固有の端末情報ごとの前記商品情報に対応付けられた前記累積ポイントに、前記応募情報記憶手段において前記商品情報に対応付けられたポイントを加算するポイント集計手段と、
前記電子レシートに記録された商品の前記商品情報に前記応募情報記憶手段において対応付けられた応募サイトから、当該商品の懸賞に応募するための応募条件を、取得する応募条件取得手段と、
前記ポイント集計手段によって加算された前記累積ポイントが、前記応募条件取得手段によって取得された応募条件を満たすか否かを判定する応募判定手段と、
前記応募判定手段によって応募条件を満たすと判定されたことに応じて、前記端末情報受信手段によって受信された前記固有の端末情報に基づいて、前記ユーザ端末を契約するときに前記固有の端末情報に関連付けて登録されているユーザ情報を取得するユーザ情報取得手段と、
前記ユーザ情報取得手段によって取得されたユーザ情報に基づいて、前記懸賞に応募するための応募データを作成する応募データ作成手段と、
前記応募データ作成手段によって作成された前記応募データを前記応募サイトに送信する応募データ送信手段と、
を備える自動応募サーバ。
【請求項２】
前記商品ポイント記憶手段は、前記ユーザ端末を関連付け、関連付けた前記ユーザ端末のうちポイントを集約するための前記ユーザ端末の前記商品情報を特定する集約情報を、前記固有の端末情報ごとの前記商品情報に対応付けてさらに記憶し、
前記ポイント集計手段は、前記電子レシート受信手段によって受信された前記電子レシートに記録された商品の前記商品情報に前記商品ポイント記憶手段において対応付けられた前記集約情報を取得し、取得した前記集約情報によって特定される前記商品情報の前記累積ポイントに、当該電子レシートに記録された当該商品のポイントを集約して加算する、
請求項１に記載の自動応募サーバ。
【請求項３】
商品を購入したユーザに代わって懸賞に応募する自動応募サーバが実行する方法であって、
前記自動応募サーバは、
前記ユーザのユーザ端末に付与されている固有の端末情報ごとに、商品を一意に特定する商品情報に対応付けて、当該商品に付与されたポイントの累積である累積ポイントを記憶する商品ポイント記憶手段と、
前記商品情報に対応付けて、当該商品のポイントと、当該商品の懸賞を管理する応募サイトとを記憶する応募情報記憶手段と、を備え、
前記方法は、
前記ユーザが購入した商品の前記商品情報と共に領収金額を記録する電子レシートが、電子レシート発行装置から前記ユーザのユーザ端末に発行された場合に、当該ユーザ端末から当該電子レシートを受信する電子レシート受信ステップと、
前記電子レシートを送信してきた前記ユーザ端末の前記固有の端末情報を受信する端末情報受信ステップと、
前記端末情報受信ステップによって受信された前記固有の端末情報と、前記電子レシートに記録された商品の前記商品情報とに基づいて、前記商品ポイント記憶手段に記憶された前記固有の端末情報ごとの前記商品情報に対応付けられた前記累積ポイントに、前記応募情報記憶手段において前記商品情報に対応付けられたポイントを加算するポイント集計ステップと、
前記電子レシートに記録された商品の前記商品情報に前記応募情報記憶手段において対応付けられた応募サイトから、当該商品の懸賞に応募するための応募条件を取得する応募条件取得ステップと、
前記ポイント集計ステップによって加算された前記累積ポイントが、前記応募条件取得ステップによって取得された応募条件を満たすか否かを判定する応募判定ステップと、
前記応募判定ステップによって応募条件を満たすと判定されたことに応じて、前記端末情報受信ステップによって受信された前記固有の端末情報に基づいて、前記ユーザ端末を契約するときに前記固有の端末情報に関連付けて登録されているユーザ情報を取得するユーザ情報取得ステップと、
前記ユーザ情報取得ステップによって取得されたユーザ情報に基づいて、前記懸賞に応募するための応募データを作成する応募データ作成ステップと、
前記応募データ作成ステップによって作成された前記応募データを前記応募サイトに送信する応募データ送信ステップと、
を備える方法。
【発明の詳細な説明】
【技術分野】
【０００１】
本発明は、商品の懸賞に応募する自動応募サーバ及び方法に関する。
【背景技術】
【０００２】
近年、携帯端末や携帯電話の普及に伴って、ユーザが購入した商品の決済の結果を、電子レシートで受け取ることができるようになった。このような電子レシートを利用すると、電子家計簿への記帳が容易になり、誤入力の恐れもない。さらに、電子レシートに記録されている付加情報を積極的に利用することが考えられている。
【０００３】
例えば、電子レシートの利便性をさらに向上させるための技術を開示する特許文献１が知られている。特許文献１が開示するユーザ端末装置は、クーポン情報を記憶し、所定のユーザ操作（例えば、クーポンを使用する意思表示）を受け付けると、記憶されている有効なクーポン情報を決済端末装置へ送信し、決済端末装置からクーポン情報の使用済み通知を受けると、当該通知された使用済み通知に係るクーポン情報を無効化する。そして、決済端末装置は、決済した結果を示す電子レシート情報を生成し、ユーザ端末装置へ送信する。
【０００４】
また、電子レシートを利用して、購入意欲の高い商品情報を提供する技術を開示する特許文献２が知られている。特許文献２が開示する装置は、電子レシート上の商品表示部分の商品が選択されると、その選択された商品の関連商品であって予め購入日間隔が設定されている関連商品のうち、電子レシートの決済を行なった日から経過している日数以内の関連商品を表示し、表示した関連商品の中から選択された商品を注文商品として商品購入サイトへ送信する。
【先行技術文献】
【特許文献】
【０００５】
【特許文献１】特開２００７−２８００６５号公報
【特許文献２】特開２００７−３１６７５０号公報
【発明の概要】
【発明が解決しようとする課題】
【０００６】
しかしながら、特許文献１に開示された電子レシートの利用に関する技術は、クーポンの使用の結果に電子レシートを利用し、決済した結果を電子レシートで示すようにするための技術である。また、特許文献２に開示された技術は、電子レシートに記録された商品に基づいて、購入日からの経過日数により再購入する商品や、購入日からの経過日数に関連して購入される関連商品の表示をして、電子レシートの記録を購入意欲の推定に役立てるようにするための技術である。
【０００７】
これらの利用以外に、電子レシートの利用について、商品の購入に付随した利用が考えられる。例えば、商品を購入したユーザは、電子レシートを受け取っても、電子レシートに記録されている商品の懸賞に応募するために、応募シートに必要事項を記入するという煩雑な手書き作業を行って、応募するしかない。
【０００８】
そこで、懸賞に応募するために煩雑な手書き作業を行うユーザに代わって、自動的に商品の懸賞に応募するサーバが望まれている。
【０００９】
本発明は、商品を購入したユーザに代わって、自動的にその商品の懸賞に応募する自動応募サーバ及び方法を提供することを目的とする。
【課題を解決するための手段】
【００１０】
具体的には、以下のような解決手段を提供する。
【００１１】
（１）  商品を購入したユーザに代わって懸賞に応募する自動応募サーバであって、前記ユーザのユーザ端末に付与されている固有の端末情報ごとに、商品を一意に特定する商品情報に対応付けて、当該商品に付与されたポイントの累積である累積ポイントを記憶する商品ポイント記憶手段と、前記商品情報に対応付けて、当該商品のポイントと、当該商品の懸賞を管理する応募サイトとを記憶する応募情報記憶手段と、前記ユーザが購入した商品の前記商品情報と共に領収金額を記録する電子レシートが、電子レシート発行装置から前記ユーザのユーザ端末に発行された場合に、当該ユーザ端末から当該電子レシートを受信する電子レシート受信手段と、前記電子レシートを送信してきた前記ユーザ端末の前記固有の端末情報を受信する端末情報受信手段と、前記端末情報受信手段によって受信された前記固有の端末情報と、前記電子レシートに記録された商品の前記商品情報とに基づいて、前記商品ポイント記憶手段に記憶された前記固有の端末情報ごとの前記商品情報に対応付けられた前記累積ポイントに、前記応募情報記憶手段において前記商品情報に対応付けられたポイントを加算するポイント集計手段と、前記電子レシートに記録された商品の前記商品情報に前記応募情報記憶手段において対応付けられた応募サイトから、当該商品の懸賞に応募するための応募条件を取得する応募条件取得手段と、前記ポイント集計手段によって加算された前記累積ポイントが、前記応募条件取得手段によって取得された応募条件を満たすか否かを判定する応募判定手段と、前記応募判定手段によって応募条件を満たすと判定されたことに応じて、前記端末情報受信手段によって受信された前記固有の端末情報に基づいて、前記ユーザ端末を契約するときに前記固有の端末情報に関連付けて登録されているユーザ情報を取得するユーザ情報取得手段と、前記ユーザ情報取得手段によって取得されたユーザ情報に基づいて、前記懸賞に応募するための応募データを作成する応募データ作成手段と、前記応募データ作成手段によって作成された前記応募データを前記応募サイトに送信する応募データ送信手段と、を備える自動応募サーバ。
【００１２】
（１）の構成によれば、本発明に係る自動応募サーバは、ユーザのユーザ端末に付与されている固有の端末情報ごとに、商品を一意に特定する商品情報に対応付けて、当該商品に付与されたポイントの累積である累積ポイントを記憶する商品ポイント記憶手段と、商品情報に対応付けて、当該商品のポイントと、当該商品の懸賞を管理する応募サイトとを記憶する応募情報記憶手段とを備える。そして、自動応募サーバは、ユーザが購入した商品の商品情報と共に領収金額を記録する電子レシートが、電子レシート発行装置からユーザのユーザ端末に発行された場合に、当該ユーザ端末から当該電子レシートを受信し、電子レシートを送信してきたユーザ端末の固有の端末情報を受信し、受信した固有の端末情報と、電子レシートに記録された商品の商品情報とに基づいて、商品ポイント記憶手段に記憶された固有の端末情報ごとの商品情報に対応付けられた累積ポイントに、応募情報記憶手段において商品情報に対応付けられたポイントを加算する。次に、自動応募サーバは、電子レシートに記録された商品の商品情報に応募情報記憶手段において対応付けられた応募サイトから、当該商品の懸賞に応募するための応募条件を取得し、累積ポイントが、取得した応募条件を満たすか否かを判定し、応募条件を満たすと判定したことに応じて、受信した固有の端末情報に基づいて、ユーザ端末を契約するときに固有の端末情報に関連付けて登録されているユーザ情報を取得し、取得したユーザ情報に基づいて、懸賞に応募するための応募データを作成し、作成した応募データを応募サイトに送信する。
【００１３】
すなわち、本発明に係る自動応募サーバは、ユーザが購入した商品の電子レシートを受信し、電子レシートに記録された商品のポイントを加算し、加算したポイントが、応募条件を満たすか否かを判定し、応募条件を満たすと判定したことに応じて、当該商品の懸賞に応募する。
したがって、本発明に係る自動応募サーバは、商品を購入したユーザに代わって、自動的にその商品の懸賞に応募することができる。
【００１４】
（２）  前記商品ポイント記憶手段は、前記ユーザ端末を関連付け、関連付けた前記ユーザ端末のうちポイントを集約するための前記ユーザ端末の前記商品情報を特定する集約情報を、前記固有の端末情報ごとの前記商品情報に対応付けてさらに記憶し、前記ポイント集計手段は、前記電子レシート受信手段によって受信された前記電子レシートに記録された商品の前記商品情報に前記商品ポイント記憶手段において対応付けられた前記集約情報を取得し、取得した前記集約情報によって特定される前記商品情報の前記累積ポイントに、当該電子レシートに記録された当該商品のポイントを集約して加算する、（１）に記載の自動応募サーバ。
【００１５】
すなわち、（２）に係る自動応募サーバは、電子レシートに記録された商品情報に対応付けられた集約情報によって特定されるユーザ端末の商品情報の累積ポイントに、電子レシートの商品情報のポイントを集約して加算する。例えば、商品ポイント記憶手段に記憶された集約情報によって、親のユーザ端末と子のユーザ端末とが関連付けられ、関連付けられたユーザ端末のうち親のユーザ端末の商品情報がポイントを集約するために特定されているとすると、自動応募サーバは、子の電子レシートの商品情報のポイントを、集約情報によって特定される親の商品情報の累積ポイントに集約して加算する。
したがって、（２）に係る自動応募サーバは、商品を購入した各々のユーザに代わって代表者にポイントを集約して加算し、代表者に代わって自動的にその商品の懸賞に応募することができる。
【００１６】
（３）  商品を購入したユーザに代わって懸賞に応募する自動応募サーバが実行する方法であって、前記自動応募サーバは、前記ユーザのユーザ端末に付与されている固有の端末情報ごとに、商品を一意に特定する商品情報に対応付けて、当該商品に付与されたポイントの累積である累積ポイントを記憶する商品ポイント記憶手段と、前記商品情報に対応付けて、当該商品のポイントと、当該商品の懸賞を管理する応募サイトとを記憶する応募情報記憶手段と、を備え、前記方法は、前記ユーザが購入した商品の前記商品情報と共に領収金額を記録する電子レシートが、電子レシート発行装置から前記ユーザのユーザ端末に発行された場合に、当該ユーザ端末から当該電子レシートを受信する電子レシート受信ステップと、前記電子レシートを送信してきた前記ユーザ端末の前記固有の端末情報を受信する端末情報受信ステップと、前記端末情報受信ステップによって受信された前記固有の端末情報と、前記電子レシートに記録された商品の前記商品情報とに基づいて、前記商品ポイント記憶手段に記憶された前記固有の端末情報ごとの前記商品情報に対応付けられた前記累積ポイントに、前記応募情報記憶手段において前記商品情報に対応付けられたポイントを加算するポイント集計ステップと、前記電子レシートに記録された商品の前記商品情報に前記応募情報記憶手段において対応付けられた応募サイトから、当該商品の懸賞に応募するための応募条件を取得する応募条件取得ステップと、前記ポイント集計ステップによって加算された前記累積ポイントが、前記応募条件取得ステップによって取得された応募条件を満たすか否かを判定する応募判定ステップと、前記応募判定ステップによって応募条件を満たすと判定されたことに応じて、前記端末情報受信ステップによって受信された前記固有の端末情報に基づいて、前記ユーザ端末を契約するときに前記固有の端末情報に関連付けて登録されているユーザ情報を取得するユーザ情報取得ステップと、前記ユーザ情報取得ステップによって取得されたユーザ情報に基づいて、前記懸賞に応募するための応募データを作成する応募データ作成ステップと、前記応募データ作成ステップによって作成された前記応募データを前記応募サイトに送信する応募データ送信ステップと、を備える方法。
【００１７】
したがって、（３）に係る方法は、（１）と同様に、商品を購入したユーザに代わって、自動的にその商品の懸賞に応募することができる。
【発明の効果】
【００１８】
本発明によれば、商品を購入したユーザに代わって、自動的にその商品の懸賞に応募することができる。さらに、本発明によれば、商品を購入した各々のユーザに代わって代表者にポイントを集約して加算し、代表者に代わって自動的にその商品の懸賞に応募することができる。
【図面の簡単な説明】
【００１９】
【図１】本発明の一実施形態における自動応募サーバを説明する図である。
【図２】本発明の一実施形態に係る自動応募サーバの機能構成を示す機能ブロック図である。
【図３】本発明の一実施形態に係る商品ポイントＤＢの例を示す図である。
【図４】本発明の一実施形態に係る応募情報ＤＢの例を示す図である。
【図５】本発明の一実施形態に係る自動応募サーバの処理内容を示すフローチャートである。
【発明を実施するための形態】
【００２０】
以下、本発明の実施形態について図を参照しながら説明する。
【００２１】
図１は、本発明の一実施形態における自動応募サーバ１０を説明する図である。自動応募サーバ１０は、コンピュータネットワーク７０（例えば、インターネット）を介して、ユーザ端末５０、ユーザ情報管理サーバ９０、応募サイト６０と通信を行う。
【００２２】
ユーザ端末５０は、商品を購入したその場で発行される電子レシートを受信し、受信した電子レシートを自動応募サーバ１０に送信する。ユーザ端末５０は、例えば、携帯電話や携帯端末等である。ユーザ情報管理サーバ９０は、ユーザ端末５０（例えば、携帯電話）を契約するときにユーザ端末５０に付与されている端末ＩＤに関連付けて登録されているユーザ情報、例えば、ユーザＩＤや、住所、氏名、電話番号等を記憶し、端末ＩＤによる問い合わせに対し、ユーザ情報を応答する。応募サイト６０は、商品の応募条件等を記憶し、商品コードによる問い合わせに対し応募条件等を応答し、商品の懸賞についての応募を受け付ける。
【００２３】
電子レシートは、ユーザの購入の明細を記録した電子データであって、ユーザが購入した商品を一意に特定する商品情報と共に領収金額、例えば、商品コード、値段等が記録されている。電子レシートを発行する電子レシート発行装置８０は、例えば、ＰＯＳ（Ｐｏｉｎｔ  ｏｆ  ｓａｌｅ）端末８５等に接続されて、ＰＯＳ端末８５からのデータに基づいて電子レシートを発行する。なお、電子レシート発行装置８０は、例えば、ＰＯＳ端末８５と一体化されてもよい。電子レシート発行装置８０と、ユーザ端末５０との通信は、例えば、近距離無線通信により、行われる。近距離無線通信には、例えば、十数センチの距離での小電力無線通信（ＲＦＩＤ（Ｒａｄｉｏ  Ｆｒｅｑｕｅｎｃｙ  ＩＤｅｎｔｉｆｉｃａｔｉｏｎ））技術がある。
【００２４】
例えば、自動応募サーバ１０は、電子レシート発行装置８０から発行された、ユーザが購入した商品の電子レシートを、インターネットを介してユーザ端末５０（例えば、携帯電話）から受信し、受信した電子レシートに記録された商品についてのポイントを累積し、累積したポイントが応募条件を満たす場合に、ユーザに代わって応募サイト６０に応募する。
【００２５】
図２は、本発明の一実施形態に係る自動応募サーバ１０の機能構成を示す機能ブロック図である。自動応募サーバ１０は、商品ポイント記憶手段としての商品ポイントＤＢ（ＤａｔａＢａｓｅ）３１と、応募情報記憶手段としての応募情報ＤＢ３２と、電子レシート受信手段１１と、端末情報受信手段１２と、ポイント集計手段１３と、応募条件取得手段１４と、応募判定手段１５と、ユーザ情報取得手段１６と、応募データ作成手段１７と、応募データ送信手段１８とを備える。図３は、本発明の一実施形態に係る商品ポイントＤＢ３１の例を示す図である。図４は、本発明の一実施形態に係る応募情報ＤＢ３２の例を示す図である。以下、各手段ごとに機能を詳述する。
【００２６】
商品ポイントＤＢ３１は、ユーザのユーザ端末５０に付与されている固有の端末情報ごとに、商品を一意に特定する商品情報に対応付けて、当該商品に付与されたポイントの累積である累積ポイントを記憶する。さらに、商品ポイントＤＢ３１は、ユーザ端末５０を関連付け、関連付けたユーザ端末５０のうちポイントを集約するためのユーザ端末５０の商品情報を特定する集約情報を、固有の端末情報ごとの商品情報に対応付けて記憶する。具体的には、図３に示すように、商品ポイントＤＢ３１は、ユーザ端末を識別する端末ＩＤに対応付けて、ユーザが購入した商品を一意に特定する商品コード及びその商品のポイントを累積した累積ポイントを記憶する。さらに、商品ポイントＤＢ３１は、ポイントを集約するためにユーザ端末を関連付ける集約情報、例えば、集約フラグ及びグループ情報を記憶する。すなわち、集約情報のグループ情報によってユーザ端末が関連付けられ、関連付けられたユーザ端末のうちポイントを集約するためのユーザ端末の商品情報が集約情報の集約フラグによって特定される。すなわち、集約情報のグループ情報が同じユーザ端末の商品ごとのポイントは、集約フラグが設定されている商品コードの累積ポイントに集約して累積される。
【００２７】
応募情報ＤＢ３２は、商品情報に対応付けて、当該商品のポイントと、当該商品の懸賞を管理する応募サイトとを記憶する。図４に示すように、応募情報ＤＢ３２は、商品コードに対応付けて、その商品のポイントと、応募サイトとを記憶する。応募サイトに記憶される情報は、応募サイトにアクセスするためのアドレス情報、例えば、応募サイトのＵＲＬ（Ｕｎｉｆｏｒｍ  Ｒｅｓｏｕｒｃｅ  Ｌｏｃａｔｏｒ）等である。
【００２８】
電子レシート受信手段１１は、ユーザが購入した商品の商品情報と共に領収金額を記録する電子レシートが、電子レシート発行装置８０からユーザのユーザ端末５０に発行された場合に、当該ユーザ端末５０から当該電子レシートを受信する。例えば、商品を購入したユーザが、支払いを行い、ユーザ端末５０（例えば、携帯電話）を電子レシート発行装置８０にかざすと、電子レシート受信手段１１は、電子レシート発行装置８０から電子レシートを受信したユーザ端末５０（例えば、携帯電話）から、当該電子レシートを受信する。
【００２９】
端末情報受信手段１２は、電子レシートを送信してきたユーザ端末５０の固有の端末情報を受信する。具体的には、端末情報受信手段１２は、ユーザ端末５０に端末情報を問い合わせ、その結果、ユーザ端末５０に付与されている固有の端末情報、例えば、端末ＩＤを受信する。なお、端末情報受信手段１２は、電子レシート受信手段１１によって受信される電子レシートと共に、ユーザ端末５０が送信した端末ＩＤを受信するとしてもよい。
【００３０】
ポイント集計手段１３は、端末情報受信手段１２によって受信された固有の端末情報と、電子レシートに記録された商品の商品情報とに基づいて、商品ポイントＤＢ３１に記憶された固有の端末情報ごとの商品情報に対応付けられた累積ポイントに、応募情報ＤＢ３２において商品コードに対応付けられたポイントを加算する。具体的には、ポイント集計手段１３は、受信された端末ＩＤにより商品ポイントＤＢ３１を検索し、検索した端末ＩＤに対応付けられた商品コードのうち、電子レシートに記録された商品コードの累積ポイントに、応募情報ＤＢ３２において商品コードに対応付けられたポイントを加算する。
【００３１】
さらに、ポイント集計手段１３は、電子レシート受信手段１１によって受信された電子レシートに記録された商品の商品情報に商品ポイントＤＢ３１において対応付けられた集約情報を取得し、取得した集約情報によって特定される商品情報の累積ポイントに、当該電子レシートに記録された当該商品のポイントを集約して加算する。具体的には、受信された商品コードに商品ポイントＤＢ３１において集約情報が対応付けられている場合、ポイント集計手段１３は、対応付けられた集約情報を取得し、取得した集約情報のグループ情報が同じユーザ端末５０（例えば、同じ家族）のうち、集約情報の集約フラグが設定された商品コード（例えば、母親の商品コード）に対応付けられた累積ポイントに、応募情報ＤＢ３２において当該商品コードに対応付けられたポイントを集約して加算する。
【００３２】
応募条件取得手段１４は、電子レシートに記録された商品の商品情報に応募情報ＤＢ３２において対応付けられた応募サイト６０から、当該商品の懸賞に応募するための応募条件を取得する。具体的には、応募条件取得手段１４は、電子レシートに記録された商品の商品コードにより応募情報ＤＢ３２を検索し、検索した商品コードに対応付けられた応募サイト６０のアドレス情報、例えば、応募サイト６０のＵＲＬを取得する。次に、応募条件取得手段１４は、懸賞に応募するための応募条件を取得するためのクエリを作成し、作成したクエリを、取得したアドレス情報の応募サイト６０に送信し、応募サイト６０から、例えば、ポイント数や、年齢、応募期間等の応募条件を受信する。
【００３３】
応募判定手段１５は、ポイント集計手段１３によって加算された累積ポイントが、応募条件取得手段１４によって取得された応募条件を満たすか否かを判定する。具体的には、応募判定手段１５は、累積ポイントが、例えば、応募条件であるポイント数以上であるか否かを判定する。さらに、応募判定手段１５は、応募する日付を取得し、例えば、応募条件である応募期間以内であるか否かを判定する。
【００３４】
ユーザ情報取得手段１６は、応募判定手段１５によって応募条件を満たすと判定されたことに応じて、端末情報受信手段１２によって受信された固有の端末情報に基づいて、ユーザ端末を契約するときに固有の端末情報に関連付けて登録されているユーザ情報を取得する。具体的には、ユーザ情報取得手段１６は、商品についての応募条件を満たす場合に、受信された端末ＩＤに基づいて、ユーザ情報を取得するためのクエリを作成し、作成したクエリをユーザ情報管理サーバ９０に送信して問い合わせ、ユーザ情報管理サーバ９０から、ユーザ情報、例えば、氏名や住所、電話番号等を受信する。
【００３５】
取得されたユーザ情報は、ユーザ端末５０（例えば、携帯電話）を契約するときに当該ユーザ端末５０（例えば、携帯電話）の端末ＩＤに関連付けて登録（例えば、ユーザ情報管理サーバ９０に登録）されているユーザ情報である。よって、ユーザ情報取得手段１６は、ユーザを特定するための正確で、誤りの少ないユーザ情報を得ることができる。このようなユーザ情報に基づいて、自動応募サーバ１０は、正確な応募データを作成することができる。
【００３６】
応募データ作成手段１７は、ユーザ情報取得手段１６によって取得されたユーザ情報に基づいて、懸賞に応募するための応募データを作成する。具体的には、応募データ作成手段１７は、所定の応募データ、例えば、氏名や住所、電話番号等と、商品コード、ポイント数等を、所定の書式に記録した応募用のデータを作成する。
【００３７】
応募データ送信手段１８は、応募データ作成手段１７によって作成された応募データを応募サイト６０に送信する。具体的には、応募データ送信手段１８は、氏名や住所、電話番号等と、商品コード、ポイント数等が記録された応募データを、応募サイト６０との間で規定されたインターフェースに従って送信する。
【００３８】
本実施形態の自動応募サーバ１０は、コンピュータ及びその周辺装置によって実現され、本実施形態における各手段は、コンピュータ及びその周辺装置が備えるハードウェア（例えば、制御装置としてのＣＰＵ（Ｃｅｎｔｒａｌ  Ｐｒｏｃｅｓｓｉｎｇ  Ｕｎｉｔ）、記憶装置としてメモリやハードディスク、表示装置としてディスプレイ、入力装置としてキーボード、通信装置等）並びに該ハードウェアを制御するソフトウェアによって構成される。
【００３９】
図５は、本発明の一実施形態に係る自動応募サーバ１０の処理内容を示すフローチャートである。なお、本処理内容は、日付を要求すると、要求した時点の日付を提供するカレンダ機能を備えたＯＳ（Ｏｐｅｒａｔｉｎｇ  Ｓｙｓｔｅｍ）の下で動作する。
【００４０】
ステップＳ１０１において、自動応募サーバ１０のＣＰＵ（以下、単にＣＰＵという）（電子レシート受信手段１１）は、電子レシートを受信する。より具体的には、ＣＰＵは、電子レシート発行装置８０からユーザ端末５０（例えば、携帯電話）に電子レシートが発行された場合に、ユーザ端末５０から、商品コードが記録された電子レシートを受信する。その後、ＣＰＵは、処理をステップＳ１０２に移す。
【００４１】
ステップＳ１０２において、ＣＰＵ（端末情報受信手段１２）は、電子レシートを送信してきたユーザ端末５０の端末ＩＤを受信する。より具体的には、ＣＰＵは、ユーザ端末５０に端末ＩＤを問い合わせるためのクエリを送信し、その結果、ユーザ端末５０に付与されている端末ＩＤを受信する。その後、ＣＰＵは、処理をステップＳ１０３に移す。
【００４２】
ステップＳ１０３において、ＣＰＵ（ポイント集計手段１３）は、受信した端末ＩＤと、電子レシートとに基づいて、商品ポイントＤＢ３１にポイントを集約して加算する。より具体的には、ＣＰＵは、受信した端末ＩＤによって商品ポイントＤＢ３１を検索し、検索した端末ＩＤに対応付けられた商品コードの中から、受信した電子レシートに記録された商品コードを検索する。次に、ＣＰＵは、検索した商品コードに対応付けられた集約情報が設定されているか否かを判断する。集約情報が設定されていないと判断した場合に、ＣＰＵは、検索した商品コードの累積ポイントに、応募情報ＤＢ３２において商品コードに対応付けられたポイントを加算する。集約情報が設定されていると判断した場合に、ＣＰＵは、集約情報のグループ情報と同じグループ情報を有する端末ＩＤを抽出し、抽出した端末ＩＤのうち、集約フラグが設定されている当該商品コードの累積ポイントに、応募情報ＤＢ３２において商品コードに対応付けられたポイントを集約して加算する。その後、ＣＰＵは、処理をステップＳ１０４に移す。
【００４３】
ステップＳ１０４において、ＣＰＵ（応募条件取得手段１４）は、応募条件を取得する。より具体的には、ＣＰＵは、商品の応募条件を取得するためのクエリを作成し、作成したクエリを、応募情報ＤＢ３２において商品コードに対応付けられた応募サイト６０に送信し、応募サイト６０から応募条件を受信する。その後、ＣＰＵは、処理をステップＳ１０５に移す。
【００４４】
ステップＳ１０５において、ＣＰＵ（応募判定手段１５）は、応募条件を満たすか否かを判断する。より具体的には、ＣＰＵは、ステップＳ１０３において加算した累積ポイントが応募条件であるポイント数以上であり、かつ、カレンダ機能により取得した現時点の日付が応募条件である応募期間以内である、か否かを判断する。この判断がＹＥＳの場合、ＣＰＵは、処理をステップＳ１０６に移し、ＮＯの場合、ＣＰＵは、処理を終了する。
【００４５】
ステップＳ１０６において、ＣＰＵ（ユーザ情報取得手段１６）は、ユーザ情報を取得する。より具体的には、ＣＰＵは、受信した端末ＩＤに基づいてユーザ情報を取得するためのクエリを作成し、作成したクエリをユーザ情報管理サーバ９０に送信し、ユーザ情報管理サーバ９０から、ユーザ端末５０（例えば、携帯電話）を契約するときに端末ＩＤに関連付けて登録されているユーザ情報、例えば、氏名や住所、電話番号等を受信する。その後、ＣＰＵは、処理をステップＳ１０７に移す。
【００４６】
ステップＳ１０７において、ＣＰＵ（応募データ作成手段１７）は、応募データを作成する。より具体的には、ＣＰＵは、所定の応募データ、例えば、氏名や住所、電話番号等と、商品コード、ポイント数等を、所定の書式に記録した応募用のデータを作成する。その後、ＣＰＵは、処理をステップＳ１０８に移す。
【００４７】
ステップＳ１０８において、ＣＰＵ（応募データ送信手段１８）は、応募サイト６０に応募する。より具体的には、ＣＰＵは、ステップＳ１０７において作成した応募データを、応募サイト６０との間で規定されたインターフェースに従って送信する。その後、ＣＰＵは、処理を終了する。
【００４８】
本実施形態によれば、自動応募サーバ１０は、ユーザのユーザ端末に付与されている固有の端末情報ごとに、商品を一意に特定する商品情報に対応付けて、当該商品に付与されたポイントの累積である累積ポイントを記憶する商品ポイントＤＢ３１と、商品情報に対応付けて、当該商品のポイントと、当該商品の懸賞を管理する応募サイトとを記憶する応募情報ＤＢ３２とを備える。そして、自動応募サーバ１０は、ユーザが購入した商品の商品情報と共に領収金額を記録する電子レシートが、電子レシート発行装置８０からユーザのユーザ端末５０に発行された場合に、当該ユーザ端末５０から当該電子レシートを受信し、電子レシートを送信してきたユーザ端末５０の固有の端末情報を受信し、受信した固有の端末情報と、電子レシートに記録された商品の商品情報とに基づいて、商品ポイントＤＢ３１に記憶された固有の端末情報ごとの商品情報に対応付けられた累積ポイントに、応募情報ＤＢ３２において商品情報に対応付けられたポイントを加算する。次に、自動応募サーバ１０は、電子レシートに記録された商品の商品情報に応募情報ＤＢ３２において対応付けられた応募サイトから、当該商品の懸賞に応募するための応募条件を取得し、累積ポイントが、取得した応募条件を満たすか否かを判定し、応募条件を満たすと判定したことに応じて、受信した固有の端末情報に基づいて、ユーザ端末５０（例えば、携帯電話）を契約するときに固有の端末情報に関連付けて登録されているユーザ情報を取得し、取得したユーザ情報に基づいて、懸賞に応募するための応募データを作成し、作成した応募データを応募サイト６０に送信する。したがって、自動応募サーバ１０は、商品を購入したユーザに代わって、自動的にその商品の懸賞に応募することができる。
【００４９】
さらに、自動応募サーバ１０は、電子レシートに記録された商品情報に商品ポイントＤＢ３１において対応付けられた集約情報によって特定されるユーザ端末５０の商品情報の累積ポイントに、電子レシートの商品情報のポイントを加算する。したがって、自動応募サーバ１０は、商品を購入した各々のユーザに代わって代表者に集約して加算し、代表者に代わって自動的にその商品の懸賞に応募することができる。
【００５０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５１】
１０    自動応募サーバ
１１    電子レシート受信手段
１２    端末情報受信手段
１３    ポイント集計手段
１４    応募条件取得手段
１５    応募判定手段
１６    ユーザ情報取得手段
１７    応募データ作成手段
１８    応募データ送信手段
３１    商品ポイントＤＢ
３２    応募情報ＤＢ
５０    ユーザ端末
６０    応募サイト
７０    コンピュータネットワーク
８０    電子レシート発行装置
９０    ユーザ情報管理サーバ
【図１】
2012256128.tif 000003
【図２】
2012256128.tif 000004
【図３】
2012256128.tif 000005
【図４】
2012256128.tif 000006
【図５】
2012256128.tif 000007